(57)【要約】【課題】  ユーザに鍵を手渡しすることなくユーザが錠を解錠及び施錠することができる電子鍵装置、及び電子鍵システムを提供する。【解決手段】  電子鍵装置１０１から受信した錠ＩＤと予め記憶した錠ＩＤとが一致した場合に錠の開閉を行う電子錠装置２０１と、携帯電話機に接続されて携帯電話機との間で信号の送受信を行い、携帯電話機のキースイッチ等により受け付けられた操作指示を取得し、携帯電話機を用いて携帯電話機の通信ネットワークである携帯電話ネットワークに接続されたサーバ装置との間でデータを送受信する電子鍵装置１０１とを備えた。そして、電子鍵装置１０１は、電子錠装置の錠ＩＤの変更を要求するＩＤ変更要求が携帯電話機から取得された場合に携帯電話機を用いてサーバ装置へ当該ＩＤ変更要求を送信させ、サーバ装置から携帯電話機へ送信された新たな錠ＩＤを、電子錠装置に記憶させるべく送信するようにした。【選択図】      図１
2006104696.tif 000002
【特許請求の範囲】
【請求項１】
錠を識別するための錠ＩＤと前記錠の開閉を指示する開閉指示情報とを含む無線信号を受信し、当該受信した錠ＩＤと予め設定されている錠ＩＤとが一致した場合に当該受信した開閉指示情報に応じて前記錠の開閉を行う電子錠装置へ、前記無線信号を送信する電子鍵装置であって、
前記電子錠装置へ前記無線信号を送信する送信部と、
携帯電話機が備える外部インターフェイス部に接続可能に構成され、前記携帯電話機との間で信号の送受信を行う携帯電話インターフェイス部と、
前記携帯電話機が備えるヒューマンインターフェイス部により受け付けられた操作指示を示す操作指示情報を、前記携帯電話インターフェイス部を介して受信し、前記携帯電話インターフェイス部を介して接続された前記携帯電話機を用いて前記携帯電話機の通信ネットワークである携帯電話ネットワークに接続されたサーバ装置との間でデータを送受信する制御部と、
を備え、
前記制御部は、
前記携帯電話インターフェイス部を介して受信された操作指示情報が、前記電子錠装置に設定されている錠ＩＤの変更を要求するＩＤ変更要求を示す場合に前記携帯電話機を用いて前記サーバ装置へ当該ＩＤ変更要求を送信させ、
前記サーバ装置から前記携帯電話機へ送信された新たな錠ＩＤを、前記携帯電話インターフェイス部を介して前記携帯電話機から受信し、
前記携帯電話機から受信された新たな錠ＩＤに前記電子錠装置に設定されている錠ＩＤを変更させるＩＤ変更指示情報を含む無線信号を、前記送信部により前記電子錠装置へ送信させることを特徴とする電子鍵装置。
【請求項２】
錠と、前記錠を識別するための錠ＩＤの設定を記憶するＩＤ記憶部と、動作を指示する指示情報と前記錠ＩＤとを含む無線信号を受信する受信部と、前記受信部により受信された無線信号に含まれる錠ＩＤと予め設定されている錠ＩＤとが一致し、かつ当該無線信号に含まれる指示情報が前記ＩＤ記憶部に記憶されている錠ＩＤを新たな錠ＩＤに変更すべき旨を示すＩＤ変更指示情報であった場合に前記ＩＤ記憶部に記憶されている錠ＩＤを新たな錠ＩＤに変更すると共に、前記受信部により受信された無線信号に含まれる錠ＩＤと予め設定されている錠ＩＤとが一致し、かつ当該無線信号に含まれる指示情報が前記錠の開閉を指示する開閉指示情報であった場合に当該開閉指示情報に応じて前記錠に開閉動作を行わせる制御部と、を備える電子錠装置と、
前記電子錠装置へ前記無線信号を送信する電子鍵装置と、
前記電子鍵装置と接続される携帯電話機と、
前記携帯電話機の通信ネットワークである携帯電話ネットワークに接続され、前記携帯電話機から前記電子錠装置に設定されている錠ＩＤの変更を指示するＩＤ変更指示を示す信号を受信した場合に、前記携帯電話機へ新たな錠ＩＤを送信するサーバ装置と、
を備え、
前記電子鍵装置は請求項１記載の電子鍵装置であることを特徴とする電子鍵システム。
【請求項３】
前記携帯電話機は、前記電子鍵装置からの前記ＩＤ変更指示を示す信号と共に当該携帯電話機を識別するための携帯ＩＤを前記サーバ装置へ送信するものであり、
前記サーバ装置は、登録ユーザの携帯電話機を識別するための携帯ＩＤを記憶する携帯ＩＤ記憶部を備え、前記携帯電話機からＩＤ変更指示と当該携帯電話機の携帯ＩＤとを示す信号を受信し、かつ当該受信した携帯ＩＤと携帯ＩＤ記憶部に記憶されている携帯ＩＤとが一致した場合に、前記携帯電話機へ新たな錠ＩＤを送信することを特徴とする請求項２記載の電子鍵システム。
【請求項４】
前記電子鍵装置は、前記ＩＤ変更指示と前記錠の錠ＩＤとを前記携帯電話機によって前記サーバ装置へ送信し、
前記携帯ＩＤ記憶部は、前記錠ＩＤをさらに予め記憶し、
前記サーバ装置は、前記携帯電話機からＩＤ変更指示と前記錠の錠ＩＤと当該携帯電話機の携帯ＩＤとを示す信号を受信し、かつ当該受信した携帯ＩＤ及び錠ＩＤと携帯ＩＤ記憶部に記憶されている携帯ＩＤ及び錠ＩＤとが一致した場合に、前記携帯電話機へ新たな錠ＩＤを送信することを特徴とする請求項３記載の電子鍵システム。
【発明の詳細な説明】
【技術分野】
【０００１】
本発明は、無線信号により電子錠を開閉することができる電子鍵装置、及び電子鍵システムに関する。
【背景技術】
【０００２】
従来、例えばウィークリーマンション等を賃貸する場合、マンションを管理する不動産業者は、賃貸契約を結んだユーザに賃貸するマンションの部屋の鍵を渡すことにより、ユーザがマンションの部屋を使用できるようになっている。
【発明の開示】
【発明が解決しようとする課題】
【０００３】
ところで、上述のような賃貸契約では、不動産業者がユーザに部屋の鍵を手渡しする必要があるため、賃貸契約に手間が掛かるという不都合があった。特に、ウィークリーマンション等賃貸期間が短く、頻繁にユーザが入れ替わるような場合には、鍵を手渡しする手間が増大するという不都合があった。
【０００４】
本発明は、このような問題に鑑みて為された発明であり、ユーザに鍵を手渡しすることなくユーザが錠を解錠及び施錠することができる電子鍵装置、及び電子鍵システムを提供することを目的とする。
【課題を解決するための手段】
【０００５】
上述の目的を達成するために、本発明の第１の手段に係る電子鍵装置は、錠を識別するための錠ＩＤと前記錠の開閉を指示する開閉指示情報とを含む無線信号を受信し、当該受信した錠ＩＤと予め設定されている錠ＩＤとが一致した場合に当該受信した開閉指示情報に応じて前記錠の開閉を行う電子錠装置へ、前記無線信号を送信する電子鍵装置であって、前記電子錠装置へ前記無線信号を送信する送信部と、携帯電話機が備える外部インターフェイス部に接続可能に構成され、前記携帯電話機との間で信号の送受信を行う携帯電話インターフェイス部と、前記携帯電話機が備えるヒューマンインターフェイス部により受け付けられた操作指示を示す操作指示情報を、前記携帯電話インターフェイス部を介して受信し、前記携帯電話インターフェイス部を介して接続された前記携帯電話機を用いて前記携帯電話機の通信ネットワークである携帯電話ネットワークに接続されたサーバ装置との間でデータを送受信する制御部と、を備え、前記制御部は、前記携帯電話インターフェイス部を介して受信された操作指示情報が、前記電子錠装置に設定されている錠ＩＤの変更を要求するＩＤ変更要求を示す場合に前記携帯電話機を用いて前記サーバ装置へ当該ＩＤ変更要求を送信させ、前記サーバ装置から前記携帯電話機へ送信された新たな錠ＩＤを、前記携帯電話インターフェイス部を介して前記携帯電話機から受信し、前記携帯電話機から受信された新たな錠ＩＤに前記電子錠装置に設定されている錠ＩＤを変更させるＩＤ変更指示情報を含む無線信号を、前記送信部により前記電子錠装置へ送信させることを特徴としている。
【０００６】
また、本発明の第２の手段に係る電子鍵システムは、錠と、前記錠を識別するための錠ＩＤの設定を記憶するＩＤ記憶部と、動作を指示する指示情報と前記錠ＩＤとを含む無線信号を受信する受信部と、前記受信部により受信された無線信号に含まれる錠ＩＤと予め設定されている錠ＩＤとが一致し、かつ当該無線信号に含まれる指示情報が前記ＩＤ記憶部に記憶されている錠ＩＤを新たな錠ＩＤに変更すべき旨を示すＩＤ変更指示情報であった場合に前記ＩＤ記憶部に記憶されている錠ＩＤを新たな錠ＩＤに変更すると共に、前記受信部により受信された無線信号に含まれる錠ＩＤと予め設定されている錠ＩＤとが一致し、かつ当該無線信号に含まれる指示情報が前記錠の開閉を指示する開閉指示情報であった場合に当該開閉指示情報に応じて前記錠に開閉動作を行わせる制御部と、を備える電子錠装置と、前記電子錠装置へ前記無線信号を送信する電子鍵装置と、前記電子鍵装置と接続される携帯電話機と、前記携帯電話機の通信ネットワークである携帯電話ネットワークに接続され、前記携帯電話機から前記電子錠装置に設定されている錠ＩＤの変更を指示するＩＤ変更指示を示す信号を受信した場合に、前記携帯電話機へ新たな錠ＩＤを送信するサーバ装置と、を備え、前記電子鍵装置は請求項１記載の電子鍵装置であることを特徴としている。
【０００７】
そして、上述の電子鍵システムにおいて、前記携帯電話機は、前記電子鍵装置からの前記ＩＤ変更指示を示す信号と共に当該携帯電話機を識別するための携帯ＩＤを前記サーバ装置へ送信するものであり、前記サーバ装置は、登録ユーザの携帯電話機を識別するための携帯ＩＤを記憶する携帯ＩＤ記憶部を備え、前記携帯電話機からＩＤ変更指示と当該携帯電話機の携帯ＩＤとを示す信号を受信し、かつ当該受信した携帯ＩＤと携帯ＩＤ記憶部に記憶されている携帯ＩＤとが一致した場合に、前記携帯電話機へ新たな錠ＩＤを送信することを特徴としている。
【０００８】
さらに、上述の電子鍵システムにおいて、前記電子鍵装置は、前記ＩＤ変更指示と前記錠の錠ＩＤとを前記携帯電話機によって前記サーバ装置へ送信し、前記携帯ＩＤ記憶部は、前記錠ＩＤをさらに予め記憶し、前記サーバ装置は、前記携帯電話機からＩＤ変更指示と前記錠の錠ＩＤと当該携帯電話機の携帯ＩＤとを示す信号を受信し、かつ当該受信した携帯ＩＤ及び錠ＩＤと携帯ＩＤ記憶部に記憶されている携帯ＩＤ及び錠ＩＤとが一致した場合に、前記携帯電話機へ新たな錠ＩＤを送信することを特徴としている。
【発明の効果】
【０００９】
このような構成の電子鍵装置及び電子鍵システムは、電子鍵装置における制御部によって、携帯電話インターフェイス部を介して受信された操作指示情報が電子錠装置に設定されている錠ＩＤの変更を要求するＩＤ変更要求を示す場合に携帯電話機を用いてサーバ装置へ当該ＩＤ変更要求が送信される。そして、制御部によって、サーバ装置から携帯電話機へ送信された新たな錠ＩＤが、携帯電話インターフェイス部を介して携帯電話機から受信され、携帯電話機から受信された新たな錠ＩＤに電子錠装置に設定されている錠ＩＤを変更させるＩＤ変更指示情報を含む無線信号が、送信部により電子錠装置へ送信される。さらに、電子錠装置によって、変更された新たな錠ＩＤと開閉指示情報とが受信された場合に、開閉指示情報に応じて錠の開閉が行われるので、ユーザは、鍵を直接受け取ることなく携帯電話機と電子鍵装置とを用いて新たな錠ＩＤを取得することにより、当該新たな錠ＩＤを用いて錠を解錠及び施錠することができる。
【発明を実施するための最良の形態】
【００１０】
以下、本発明に係る実施形態を図面に基づいて説明する。なお、各図において同一の符号を付した構成は、同一の構成であることを示し、その説明を省略する。図１は、本発明の一実施形態に係る電子鍵システムの構成の一例を示すブロック図である。図１に示す電子鍵システム１は、電子鍵装置１０１と、電子錠装置２０１とを備えている。そして、電子鍵装置１０１は、携帯電話機３０１に接続されている。携帯電話機３０１の携帯電話事業者が管理する携帯電話ネットワーク４０１には、例えばルータ４０２を介してＬＡＮ（Local Area Network）４０３が接続され、ＬＡＮ４０３にはＩＤ管理サーバ４０４が接続されている。電子錠装置２０１は、例えばウィークリーマンションの部屋の鍵として用いられており、予め電子錠装置２０１を識別するための初期ＩＤ（identification）が設定されている。
【００１１】
図２は、電子鍵装置１０１と携帯電話機３０１との構成の一例を示すブロック図である。図２に示す電子鍵装置１０１は、例えば不揮発性のメモリであるＲＯＭ（Read Only Memory）や書き換え可能なＥＥＰＲＯＭ（Electrically Erasable and Programmable Read Only Memory）等を用いて構成された記憶部１０５と、例えばマイクロコンピュータを用いて構成された制御部１０６と、例えばステートマシンやマイクロコンピュータ等を用いて構成されたＣＲＣ計算部１０７と、制御部１０６から出力された送信信号を例えばＨＦ帯、ＶＨＦ帯、ＵＨＦ帯、マイクロ波及びミリ波帯等の無線信号に変換する送信部１０８と、送信部１０８からの無線信号を放射すると共に電子錠装置２０１から放射された無線信号を受信するアンテナ１０９と、アンテナ１０９で受信された無線信号を復調して制御部１０６へ出力する受信部１１１と、携帯電話インターフェイス部１１２と、を備えている。
【００１２】
送信部１０８は、例えば変調回路、周波数変換回路、ローカル信号発振回路、バンドパスフィルタ回路等を用いて構成される公知の送信回路である。受信部１１１は、例えばローノイズアンプ、周波数変換回路、ローカル信号発振回路、バンドパスフィルタ回路、中間周波数増幅回路、及び復調回路等を用いて構成される公知の受信回路である。携帯電話インターフェイス部１１２は、制御部１０６によって入出力される信号を、携帯電話機３０１の外部インターフェイス部３０２により入出力される信号形式に変換し、制御部１０６と携帯電話機３０１との間でデータ送受信を可能にするインターフェイス回路である。具体的には、携帯電話インターフェイス部１１２は、例えば制御部１０６の入出力信号をシリアル変換したり、信号レベルを変換したり、データバス幅を変換したり、タイミングを調整したりする等、外部インターフェイス部３０２により入出力可能な信号形式に変換するものであればよい。
【００１３】
図３は、図１に示す電子錠装置２０１の構成の一例を示すブロック図である。図３に示す電子錠装置２０１は、例えばウィークリーマンションのドアに取り付けられており、電子鍵装置１０１との間で無線信号を送受信するアンテナ２０２と、アンテナ２０２で受信された無線信号を復調してシフトレジスタ２０４とＣＲＣ計算部２０５とに出力する受信部２０３と、受信部２０３からの受信信号をパラレル変換して記憶するシフトレジスタ２０４と、受信信号のＣＲＣ（Cyclic Redundancy Check）を計算するＣＲＣ計算部２０５と、例えば不揮発性のメモリであるＲＯＭや書き換え可能なＥＥＰＲＯＭ等を用いて構成され、当該電子錠装置２０１に固有の初期ＩＤや現在時点において当該電子錠装置２０１を識別するために用いられているカレントＩＤ（錠ＩＤ）等のＩＤ番号を記憶する記憶部２０６と、シフトレジスタ２０４によりパラレル変換されたＩＤ番号と記憶部２０６に記憶されているカレントＩＤとを比較するマッチング部２０７と、例えばマイクロコンピュータを用いて構成された制御部２０８と、電子錠装置２０１内の各部に動作用電源電圧を供給する例えば電池や商用電源を用いて構成された電源部２１０と、アクチュエータ２１１と、錠機構部２１２とを備えている。
【００１４】
受信部２０３及び送信部２０９は、例えば図２に示す受信部１１１及び送信部１０８と同様に構成されている。錠機構部２１２は、例えばウィークリーマンションのドアに取り付けられたデッドボルト等の錠前機構である。アクチュエータ２１１は、例えばソレノイドやモータ等の駆動部であり、制御部２０８からの制御信号に応じて錠機構部２１２を駆動し、錠の開閉を行う。なお、電子錠装置２０１は、例えば図４に示すドア２２１のようにウィークリーマンションのドアに取り付けられる例に限られず、例えばロッカー２２２の錠前として用いられたり、例えば南京錠２２３のように個別の錠前装置として用いられてもよい。
【００１５】
携帯電話機３０１は、図４に示すように、ヒューマンインターフェイス部の一例である例えば液晶表示器を用いて構成された表示部３０３と例えば複数のキースイッチを用いて構成された操作部３０４と、前述した図２に示す外部インターフェイス部３０２とを備えている。
【００１６】
図１に戻って携帯電話ネットワーク４０１は、携帯電話事業者が管理する携帯電話機３０１からアクセス可能な通信ネットワークであり、例えば（株）ＮＴＴドコモが提供するＤｏＰａ（登録商標）を用いることができる。ルータ４０２は、通信信号の経路選択（ルーティング）を行って、携帯電話ネットワーク４０１をユーザが管理するＬＡＮ４０３へ接続するためのルータ装置である。ＩＤ管理サーバ４０４は、例えばパーソナルコンピュータやハードディスク装置等を用いて構成されたサーバ装置で、例えばハードディスク装置に予め記憶された制御プログラムを実行することにより、電子錠装置２０１に設定されるカレントＩＤを管理する。
【００１７】
また、ＩＤ管理サーバ４０４は、例えばハードディスク装置を用いて構成されたＩＤ管理記憶部４０５を備えている。ＩＤ管理記憶部４０５には、例えば図５に示すように、管理対象となる電子錠装置２０１毎に付与されている固有の初期ＩＤ４５１と、電子鍵装置１０１を識別するためのカレントＩＤ４５２と、その初期ＩＤ４５１を有する電子錠装置２０１を使用するユーザ（例えばウィークリーマンションを契約したユーザ）の携帯電話機３０１の電話番号４５３とが対応付けられて記憶されている。また、初期状態では、初期ＩＤ４５１とカレントＩＤ４５２とは等しくされている。この場合、電話番号４５３は携帯ＩＤの一例である。
【００１８】
次に、図１に示す電子鍵システム１の動作を説明する。まず、電子錠装置２０１へのカレントＩＤの登録処理を説明する。電子鍵システム１は、例えばウィークリーマンションを契約したユーザが、賃貸契約を行った部屋のドア２２１に取り付けられた電子錠装置２０１を解錠及び施錠することができるようにするシステムである。そして、例えば、電子錠装置２０１がウィークリーマンションのドアの錠前として用いられている。また、電子錠装置２０１における記憶部２０６には、予め電子錠装置２０１毎に固有の初期ＩＤと、電子鍵装置１０１を識別するためのカレントＩＤとが記憶されている。カレントＩＤは、初期状態では初期ＩＤと等しくされている。
【００１９】
また、ウィークリーマンションを管理する管理者は、例えば賃貸契約を結んだ部屋のドア２２１に取り付けられた電子錠装置２０１の初期ＩＤ４５１と、初期ＩＤ４５１に等しいカレントＩＤ４５２と、契約ユーザが所有する携帯電話機３０１の電話番号４５３とを、例えばＩＤ管理サーバ４０４が備えるキーボードを用いて入力し、ＩＤ管理記憶部４０５に記憶させる。また、ウィークリーマンションを契約したユーザは、自分の携帯電話機３０１が備える外部インターフェイス部３０２に、電子鍵装置１０１を接続する。
【００２０】
そして、ユーザは、例えば携帯電話事業者が提供する通信サービスを利用して、携帯電話機３０１に例えばＪａｖａアプレット（Ｊａｖａは登録商標）で作成された、ユーザの操作指示を受け付けたり、携帯電話ネットワーク４０１を介してＩＤ管理サーバ４０４との間でデータ送受信を行ったりするための携帯電話制御用プログラムを、例えば携帯電話事業者が管理するプログラムダウンロード用のサーバ装置からダウンロードする。あるいは、携帯電話制御用プログラムは、電子鍵装置１０１が備える記憶部１０５に記憶されており、携帯電話機３０１は、記憶部１０５に記憶されている携帯電話制御用プログラムを実行する構成であってもよい。
【００２１】
図６は、電子鍵システム１の動作を説明するためのフローチャートである。まず、ユーザによって、電子鍵装置１０１を取り付けた携帯電話機３０１の操作部３０４が操作され、操作部３０４によって、電子錠装置２０１の初期ＩＤと電子錠装置２０１におけるカレントＩＤの変更を要求するＩＤ変更要求とが受付られる（ステップＳ１０１）。初期ＩＤは、例えばウィークリーマンションの賃貸契約書に記載されていたり、あるいは電子錠装置２０１が南京錠２２３のような形態であれば南京錠２２３の筐体に記載される等により、ユーザが取得可能にされている。
【００２２】
そして、操作部３０４によって受け付けられた初期ＩＤとＩＤ変更要求とを示す指示信号（操作指示情報）が、図２に示す携帯電話機３０１における外部インターフェイス部３０２と電子鍵装置１０１における携帯電話インターフェイス部１１２とを介して制御部１０６によって取得され、制御部１０６により、初期ＩＤと、電子錠装置２０１のカレントＩＤを要求するカレントＩＤ要求コマンドと、ＣＲＣ計算部１０７で算出されたＣＲＣとを含む通信フレームが生成されて送信部１０８へ出力され、送信部１０８によって、通信フレームが無線信号に変換され、アンテナ１０９から空間へ放出される（ステップＳ１０２）。
【００２３】
次に、図３に示す電子錠装置２０１において、電子鍵装置１０１におけるアンテナ１０９から空間へ放出された無線信号が、電子錠装置２０１におけるアンテナ２０２により受信され、受信部２０３により無線信号が通信フレームに復調される。そして、復調された通信フレームが、１ビットずつシフトしながらシフトレジスタ２０４で記憶されると共にＣＲＣ計算部２０５でＣＲＣが計算される。
【００２４】
そして、シフトレジスタ２０４に初期ＩＤが格納されると、マッチング部２０７によって、シフトレジスタ２０４に格納された初期ＩＤと記憶部２０６に記憶されている電子錠装置２０１のカレントＩＤとが比較され、その比較結果を示す信号が制御部２０８へ送信される。この場合、カレントＩＤは初期状態であるので、カレントＩＤと初期ＩＤは等しくされている。
【００２５】
次に、制御部２０８によって、マッチング部２０７からの信号が不一致を示す場合、受信した通信フレームは自分宛ではないので受信動作が終了される（ステップＳ１０３でＮＯ）一方、マッチング部２０７からの信号が一致を示す場合（ステップＳ１０３でＹＥＳ）、受信した通信フレームは自分宛であるので、受信動作が継続されてシフトレジスタ２０４にカレントＩＤ要求コマンドが格納され、ＣＲＣ計算部２０５によって、データ誤りの有無が確認される。
【００２６】
次に、制御部２０８によって、記憶部２０６に記憶されている初期ＩＤとカレントＩＤとが等しいか否かが確認され、等しくなければ（ステップＳ１０４でＮＯ）カレントＩＤは初期状態ではなく既に新たなＩＤが登録されているので、電子鍵装置１０１から送信されたカレントＩＤ要求コマンドをキャンセルするべく処理を終了する一方、等しければ（ステップＳ１０４でＹＥＳ）、制御部２０８によって、電子錠装置２０１が初期状態（カレントＩＤを変更可能）であることを示すべく記憶部２０６に記憶されている初期ＩＤを含む通信フレームが送信部２０９へ出力され、送信部１０８によって、その通信フレームが無線信号に変換され、アンテナ２０２から空間へ放出される（ステップＳ１０６）。
【００２７】
この場合、電子錠装置２０１に新たなＩＤが登録され、カレントＩＤが初期ＩＤと異なるＩＤに変更された後は、ステップＳ１０４において制御部２０８によってカレントＩＤ要求コマンドがキャンセルされるので、適正なユーザによって電子錠装置２０１に新たなＩＤが登録された後、第三者によって不当に電子錠装置２０１のカレントＩＤが変更されることが防止される。
【００２８】
次に、電子錠装置２０１におけるアンテナ２０２から空間へ放出された無線信号が、図２に示す電子鍵装置１０１におけるアンテナ１０９により受信され、受信部１１１により無線信号が通信フレームに復調される。そして、復調された通信フレームから制御部１０６により取得された電子錠装置２０１の初期ＩＤが、携帯電話インターフェイス部１１２と外部インターフェイス部３０２とを介して携帯電話機３０１へ出力される。そして、携帯電話機３０１から携帯電話ネットワーク４０１、ルータ４０２、及びＬＡＮ４０３を介してＩＤ管理サーバ４０４へ、電子錠装置２０１の初期ＩＤと、携帯電話機３０１の電話番号（携帯ＩＤ）と、電子錠装置２０１の新たなＩＤの発行を要求する新ＩＤ発行要求コマンドとが送信される（ステップＳ１０７）。
【００２９】
次に、図１に示すＩＤ管理サーバ４０４によって、携帯電話機３０１から送信された初期ＩＤ、携帯電話機３０１の電話番号、及び新ＩＤ発行要求コマンドが受信され、当該新ＩＤ発行要求コマンドを送信したユーザがウィークリーマンションの賃貸契約を行った適正なユーザであるか否かを確認するべく当該受信された携帯電話機３０１の電話番号と、ＩＤ管理記憶部４０５に記憶されている電話番号４５３とが比較される（ステップＳ１０８）。
【００３０】
そして、ＩＤ管理サーバ４０４による当該比較の結果、不一致であればＩＤ管理サーバ４０４によって、当該新ＩＤ発行要求コマンドを送信したユーザはウィークリーマンションの賃貸契約を行った適正なユーザではないと判断され、処理を終了する（ステップＳ１０８でＮＯ）一方、一致すればＩＤ管理サーバ４０４によって、当該新ＩＤ発行要求コマンドを送信したユーザはウィークリーマンションの賃貸契約を行った適正なユーザであると判断され（ステップＳ１０８でＹＥＳ）、電子錠装置２０１が初期状態（新たなＩＤを登録可能な状態）であるか否かを確認するべくステップＳ１１０へ移行する。
【００３１】
このように、予めＩＤ管理記憶部４０５に記憶されているウィークリーマンションを契約したユーザの携帯電話機３０１の電話番号４５３と、新ＩＤ発行要求コマンドを送信した携帯電話機３０１の電話番号とが一致しなければ、ＩＤ管理サーバ４０４によって新ＩＤ発行要求コマンドがキャンセルされ、処理が終了するので、ウィークリーマンションを契約した適正なユーザ以外の第三者によって、電子錠装置２０１のカレントＩＤが変更されることを防止することができる。なお、携帯電話機３０１の電話番号の代わりに、各携帯電話機３０１に固有のいわゆる携帯電話無線ＩＤとして知られているＩＤを携帯ＩＤとして用いてもよい。
【００３２】
次に、ステップＳ１１０において、ＩＤ管理サーバ４０４によって、ＩＤ管理記憶部４０５に記憶されている初期ＩＤ４５１とカレントＩＤ４５２とが等しいか否かが確認され、等しくなければ（ステップＳ１１０でＮＯ）カレントＩＤは初期状態ではなく既に新たなＩＤが登録されているので、携帯電話機３０１から送信された新ＩＤ発行要求コマンドをキャンセルするべく処理を終了する一方、等しければ（ステップＳ１１０でＹＥＳ）ＩＤ管理サーバ４０４によって新たなカレントＩＤが生成され、カレントＩＤ４５２としてＩＤ管理記憶部４０５に記憶される。そして、ＩＤ管理サーバ４０４によって、新たなカレントＩＤと、携帯電話機３０１から送信された初期ＩＤ及び電話番号と、電子錠装置２０１に新たなカレントＩＤの登録を指示するカレントＩＤ変更コマンド（ＩＤ変更指示情報）とが、ＬＡＮ４０３、ルータ４０２、及び携帯電話ネットワーク４０１を介して携帯電話機３０１へ送信される（ステップＳ１１１）。
【００３３】
この場合、ＩＤ管理サーバ４０４によって新たなカレントＩＤがカレントＩＤ４５２としてＩＤ管理記憶部４０５に記憶され、カレントＩＤ４５２が初期ＩＤ４５１と異なるＩＤに変更された後は、ステップＳ１１０においてＩＤ管理サーバ４０４によってカレントＩＤ要求コマンドがキャンセルされるので、ＩＤ管理サーバ４０４によって適正なユーザにより送信されたカレントＩＤ要求コマンドに応じて新たなカレントＩＤがカレントＩＤ４５２としてＩＤ管理記憶部４０５に記憶された後、第三者によって送信されたカレントＩＤ要求コマンドに応じて、新たなカレントＩＤが不当に発行されることが防止される。
【００３４】
次に、図２に示す携帯電話機３０１によってＩＤ管理サーバ４０４から送信された新たなカレントＩＤ、初期ＩＤ、電話番号、及びカレントＩＤ変更コマンドが受信され、携帯電話機３０１から外部インターフェイス部３０２と携帯電話インターフェイス部１１２とを介して制御部１０６へ初期ＩＤと新たなカレントＩＤとカレントＩＤ変更コマンドとが出力され、制御部１０６により新たなカレントＩＤが記憶部１０５に記憶されると共に、制御部１０６から送信部１０８及びアンテナ１０９を介して電子錠装置２０１へ、新たなカレントＩＤの登録を要求するべく初期ＩＤと新たなカレントＩＤとカレントＩＤ変更コマンドとがステップＳ１０２と同様にして無線信号で送信される（ステップＳ１１２）。
【００３５】
次に、電子鍵装置１０１におけるアンテナ１０９から空間へ放出された無線信号が、ステップＳ１０３と同様にして図３に示す電子錠装置２０１におけるアンテナ２０２により受信され、受信部２０３により無線信号から初期ＩＤと新たなカレントＩＤとカレントＩＤ変更コマンドとが復調されて制御部２０８へ出力される。そして、制御部２０８によって、カレントＩＤ変更コマンドに応じて新たなカレントＩＤが、当該電子錠装置２０１のカレントＩＤとして記憶部２０６に記憶される（ステップＳ１１３）。
【００３６】
次に、電子鍵システム１における錠開閉動作について説明する。図７は、電子鍵システム１における錠開閉動作の一例を示すフローチャートである。まず、ユーザによって、電子鍵装置１０１を取り付けた携帯電話機３０１の操作部３０４が操作され、操作部３０４によって電子錠装置２０１への錠開閉動作を指示する錠開閉指示が受付けられる（ステップＳ２０１）。
【００３７】
そして、操作部３０４によって受け付けられた錠開閉指示を示す指示信号が、図２に示す携帯電話機３０１における外部インターフェイス部３０２と電子鍵装置１０１における携帯電話インターフェイス部１１２とを介して制御部１０６によって取得される。さらに、制御部１０６により、ステップＳ１１２において記憶部１０５に記憶されている電子錠装置２０１のカレントＩＤと、操作部３０４によって受け付けられた錠開閉指示に応じた錠開閉コマンド（開閉指示情報）とが、制御部１０６から送信部１０８及びアンテナ１０９を介して電子錠装置２０１へ、ステップＳ１０２と同様にして無線信号で送信される（ステップＳ２０２）。
【００３８】
なお、制御部１０６によって、記憶部１０５に記憶されている電子錠装置２０１のカレントＩＤと錠開閉コマンドとが電子錠装置２０１へ送信される例を示したが、ユーザが操作部３０４を用いて入力したＩＤをカレントＩＤとして送信するようにしてもよい。また、電子錠装置２０１が複数有る場合に、制御部１０６は、各電子錠装置２０１のカレントＩＤをそれぞれステップＳ１０１〜Ｓ１１３の処理により記憶部１０５に記憶させておき、ユーザが錠開閉操作を行う際に、記憶部１０５に記憶されている複数のカレントＩＤを表示部３０３に一覧表示させてユーザが操作部３０４を操作することにより表示部３０３に表示された中から選択されたカレントＩＤを送信するようにしてもよい。これにより、一つの携帯電話機３０１及び電子鍵装置１０１を用いて複数の電子錠装置２０１に対して錠開閉コマンドを送信することができる。
【００３９】
また、制御部１０６は、複数のカレントＩＤを記憶部１０５に記憶させる場合に、ユーザが理解しやすいように設定された各電子錠装置２０１の名称である錠名称と各カレントＩＤとを対応付けて記憶させ、ユーザが錠開閉操作を行う際に、記憶部１０５に記憶されている複数の錠名称を表示部３０３に一覧表示させてユーザが操作部３０４を操作することにより表示部３０３に表示された中から選択された錠名称を取得し、記憶部１０５に記憶されている対応関係に基づき当該取得した錠名称と対応付けて記憶されているカレントＩＤを送信するようにしてもよい。これにより、ユーザが理解しやすいように設定された名称によって、錠開閉操作を行おうとする電子錠装置２０１を選択することができるので、操作性を向上させることができる。
【００４０】
次に、電子鍵装置１０１におけるアンテナ１０９から空間へ放出された無線信号が、図３に示す電子錠装置２０１におけるアンテナ２０２により受信され、受信部２０３により無線信号からカレントＩＤと錠開閉コマンドとが復調されて制御部２０８へ出力される。そして、ステップＳ１０３と同様にして、マッチング部２０７によって、受信部２０３により復調されたカレントＩＤと記憶部２０６に記憶されている電子錠装置２０１のカレントＩＤとが比較され、その比較結果を示す信号が制御部２０８へ送信される。
【００４１】
次に、制御部２０８によって、マッチング部２０７からの信号が不一致を示す場合（ステップＳ２０３でＮＯ）、受信した通信フレームは自分宛ではないので受信動作が終了される一方、マッチング部２０７からの信号が一致を示す場合（ステップＳ２０３でＹＥＳ）、受信した通信フレームは自分宛であるので、カレントＩＤが初期ＩＤから変更されて当該電子錠装置２０１が鍵開閉コマンドを受付可能な状態になっているか否かを確認するべくステップＳ２０４へ移行する。
【００４２】
次に、ステップＳ２０４において、制御部２０８によって、記憶部２０６に記憶されている初期ＩＤとカレントＩＤとが等しいか否かが確認され、等しければ（ステップＳ２０４でＹＥＳ）カレントＩＤとしてＩＤ管理サーバ４０４により発行されたＩＤが登録されていないと判断され、電子鍵装置１０１から送信された錠開閉コマンドをキャンセルするべく処理を終了する一方、等しくなければ（ステップＳ２０４でＮＯ）カレントＩＤとしてＩＤ管理サーバ４０４により発行されたＩＤが登録されて鍵開閉コマンドを受付可能な状態になっていると判断され、鍵開閉コマンドを実行するべくステップＳ２０６へ移行する。
【００４３】
次に、ステップＳ２０６において、制御部２０８によって、錠開閉コマンドが実行される。すなわち、錠開閉コマンドが錠を開く旨の指示を示すものであった場合、制御部２０８によって錠機構部２１２を解錠させるべくアクチュエータ２１１が駆動される一方、錠開閉コマンドが錠を閉じる旨の指示を示すものであった場合、制御部２０８によって錠機構部２１２を施錠させるべくアクチュエータ２１１が駆動される。
【００４４】
以上、ステップＳ２０３の処理により、電子錠装置２０１における記憶部２０６に、カレントＩＤとしてＩＤ管理サーバ４０４により発行された新たなＩＤが記憶された後は、その新たなＩＤを含む無線信号以外は受信されないので、その新たなＩＤが記憶部１０５に記憶されている電子鍵装置１０１を所持しているユーザのみが電子錠装置２０１へ錠開閉コマンドを送信して錠機構部２１２の解錠、施錠を行うことができ、電子錠装置２０１の錠前としての信頼性を向上させることができる。
【００４５】
また、ステップＳ２０４の処理により、電子錠装置２０１における記憶部２０６に、カレントＩＤとしてＩＤ管理サーバ４０４により発行された新たなＩＤが記憶されていない状態では錠開閉コマンドが実行されず、従って電子錠装置２０１へ初期ＩＤを用いて錠開閉コマンドを送信しても錠機構部２１２の解錠、施錠を行うことができないので電子錠装置２０１の錠前としての信頼性を向上させることができる。
【００４６】
また、ユーザは、ステップＳ１０１〜Ｓ１１３のカレントＩＤ登録処理を電子鍵システム１に実行させることにより、自分の携帯電話機３０１に接続された電子鍵装置１０１を用いて電子錠装置２０１が取り付けられたウィークリーマンションのドアを解錠及び施錠することができるので、ユーザは不動産業者等の管理者から直接ウィークリーマンションの部屋の鍵を受け取る必要がなく、賃貸契約の手間を削減することができる。
【００４７】
次に、ユーザがウィークリーマンションの賃貸契約を解約した場合には、マンションの管理者は、電子鍵装置１０１と携帯電話機３０１とを用いてカレントＩＤを初期ＩＤに戻すカレントＩＤ初期化コマンドを電子錠装置２０１へ送信させるようにすればよい。電子錠装置２０１は、カレントＩＤ初期化コマンドを受信した場合に、記憶部２０６に記憶されている初期ＩＤを、カレントＩＤとして記憶することにより、新たにウィークリーマンションを契約したユーザが新たなＩＤの登録処理を実行可能となる一方、契約を解約したユーザが使用していたカレントＩＤを用いて錠の解錠を行うことができなくなるので、電子錠装置２０１の鍵としての信頼性を向上させることができる。
【図面の簡単な説明】
【００４８】
【図１】本発明の一実施形態に係る電子鍵システムの構成の一例を示すブロック図である。
【図２】図１に示す電子鍵装置と携帯電話機との構成の一例を示すブロック図である。
【図３】図１に示す電子錠装置の構成の一例を示すブロック図である。
【図４】図１に示す電子鍵システムのアプリケーションへの応用例を示す概念図である。
【図５】図１に示すＩＤ管理記憶部に記憶されている情報テーブルの一例を示す説明図である。
【図６】図１に示す電子鍵システムの動作の一例を説明するためのフローチャートである。
【図７】図１に示す電子鍵システムの動作の一例を説明するためのフローチャートである。
【符号の説明】
【００４９】
１    電子鍵システム
１０１  電子鍵装置
１０５，２０６  記憶部
１０６，２０８  制御部
１０８，２０９  送信部
１０９，２０２  アンテナ
１１１，２０３  受信部
１１２  携帯電話インターフェイス部
２０１  電子錠装置
２１１  アクチュエータ
２１２  錠機構部
２２１  ドア
２２２  ロッカー
２２３  南京錠
３０１  携帯電話機
３０２  外部インターフェイス部
３０３  表示部
３０４  操作部
４０１  携帯電話ネットワーク
４０４  ＩＤ管理サーバ
４０５  ＩＤ管理記憶部
【図１】
2006104696.tif 000003
【図２】
2006104696.tif 000004
【図３】
2006104696.tif 000005
【図４】
2006104696.tif 000006
【図５】
2006104696.tif 000007
【図６】
2006104696.tif 000008
【図７】
2006104696.tif 000009